【手続補正書】
【提出日】平成18年10月27日(2006.10.27)
【手続補正１】
【補正対象書類名】明細書
【補正対象項目名】発明の名称
【補正方法】変更
【補正の内容】
【発明の名称】ヘッド基体、プリントヘッド、プリント装置
【手続補正２】
【補正対象書類名】明細書
【補正対象項目名】特許請求の範囲
【補正方法】変更
【補正の内容】
【特許請求の範囲】
【請求項１】  プリンタ本体に着脱自在に装着されるプリントヘッドのヘッド基体であって、
二値状態が記録動作の有無に対応した二値論理信号と記録画像信号とクロック信号とが個々に外部入力される複数の外部接続端子と、
この外部接続端子に外部入力される前記二値論理信号が第一状態のときに前記記録画像信号と前記クロック信号とに対応して記録動作を実行する記録実行手段と、
データ書込とデータ読出との少なくとも一方であるメモリアクセスが実行されるデータ記憶手段と、
外部入力される前記二値論理信号が第二状態の時に、前記クロック信号に対応したタイミングで前記データ記憶手段にメモリアクセスを実行するメモリアクセス手段と、
を具備していることを特徴とするヘッド基体。
【請求項２】  前記外部接続端子が、
外部入力される前記二値論理信号を前記記録実行手段と前記メモリアクセス手段とに供給する第一の端子共用手段と、
外部入力される前記クロック信号を前記記録実行手段に供給するとともに前記メモリアクセス手段にメモリクロックとして供給する第二の端子共用手段と、
を具備している請求項１に記載のヘッド基体。
【請求項３】  前記記録実行手段は、前記外部接続端子の特定の一個にシリアル入力される前記記録画像信号に対応して記録動作を実行し、
前記端子共用手段は、前記記録画像信号がシリアル入力される一個の前記外部接続端子の入力信号を書込データとして前記メモリアクセス手段にシリアル供給する請求項２に記載のヘッド基体。
【請求項４】  前記記録実行手段は、前記外部接続端子の特定の一個にシリアル入力される前記記録画像信号に対応して記録動作を実行し、
前記端子共用手段は、前記記録画像信号がシリアル入力される一個の前記外部接続端子に前記メモリアクセス手段の読出データをシリアル供給する請求項２に記載のヘッド基体。
【請求項５】  前記記録実行手段は、前記外部接続端子の特定の複数にパラレル入力される記録画像信号に対応して記録動作を実行し、
前記端子共用手段は、前記記録画像信号がパラレル入力される複数の前記外部接続端子の入力信号を書込データとして前記メモリアクセス手段にパラレル供給する請求項２に記載のヘッド基体。
【請求項６】  前記記録実行手段は、前記外部接続端子の特定の複数にパラレル入力される記録画像信号に対応して記録動作を実行し、
前記端子共用手段は、前記記録画像信号がパラレル入力される複数の前記外部接続端子に前記メモリアクセス手段の読出データをパラレル供給する請求項２に記載のヘッド基体。
【請求項７】  前記記録実行手段は、前記外部接続端子の特定の一個に外部入力されるリセット信号でリセットされてから前記外部接続端子の特定の一個にシリアル入力される前記記録画像信号を前記クロック信号に対応したタイミングで一時保持してパラレル出力するシフトレジスタを具備しており、
前記端子共用手段は、前記シフトレジスタのリセット信号を前記アクセス許可信号となる前記二値論理信号として前記メモリアクセス手段に供給する請求項２ないし６の何れか一項に記載のヘッド基体。
【請求項８】  前記記録実行手段は、前記外部接続端子の特定の一個に外部入力されるリセット信号でリセットされてから前記外部接続端子の特定の一個にシリアル入力される前記記録画像信号を前記クロック信号に対応したタイミングで一時保持してパラレル出力するシフトレジスタと、前記外部接続端子の特定の一個に外部入力されるリセット信号でリセットされてから前記シフトレジスタからパラレル出力される記録画像信号を一時保持してパラレル出力するラッチ回路と、を具備しており、
前記端子共用手段は、前記ラッチ回路のリセット信号を前記アクセス許可信号となる前記二値論理信号として前記メモリアクセス手段に供給する請求項２ないし６の何れか一項に記載のヘッド基体。
【請求項９】  前記記録実行手段は、前記外部接続端子の特定の一個に外部入力されるリセット信号でリセットされてから前記外部接続端子の特定の一個にシリアル入力される前記記録画像信号を前記クロック信号に対応したタイミングで一時保持してパラレル出力するシフトレジスタと、前記リセット信号でリセットされてから前記シフトレジスタからパラレル出力される記録画像信号を一時保持してパラレル出力するラッチ回路と、を具備しており、
前記端子共用手段は、前記リセット信号を前記アクセス許可信号となる前記二値論理信号として前記メモリアクセス手段に供給する請求項２ないし６の何れか一項に記載のヘッド基体。
【請求項１０】  前記記録実行手段は、前記外部接続端子の特定の一個に外部入力されるリセット信号でリセットされてから前記外部接続端子の特定の一個にシリアル入力される前記記録画像信号を前記クロック信号に対応したタイミングで一時保持してパラレル出力するシフトレジスタと、このシフトレジスタからパラレル出力される記録画像信号を前記外部接続端子の特定の一個に外部入力されるラッチ信号に対応したタイミングで一時保持してからパラレル出力するラッチ回路と、を具備しており、
前記端子共用手段は、前記ラッチ信号を前記アクセス許可信号となる前記二値論理信号として前記メモリアクセス手段に供給する請求項２ないし６の何れか一項に記載のヘッド基体。
【請求項１１】  前記データ記憶手段は、メモリアクセスとしてデータ書込とデータ読出との両方が実行され、
前記メモリアクセス手段は、外部入力されるモード切換信号に対応して前記データ記憶手段にデータ書込とデータ読出との一方を選択的に実行し、
前記端子共用手段は、前記外部接続端子の特定の一個の入力信号をモード切換信号として前記メモリアクセス手段に供給する請求項２ないし６の何れか一項に記載のヘッド基体。
【請求項１２】  前記記録実行手段は、特定の前記外部接続端子から駆動電力が外部入力され、
前記端子共用手段は、前記記録実行手段の駆動電力を前記メモリアクセス手段に供給する請求項２ないし６の何れか一項に記載のヘッド基体。
【請求項１３】  前記外部接続端子と前記記録実行手段と前記データ記憶手段と前記メモリアクセス手段と前記端子共用手段とが一個のベース基板に形成された層膜からなる請求項２ないし６の何れか一項に記載のヘッド基体。
【請求項１４】  前記記録実行手段が複数の記録素子を具備している請求項１ないし１３の何れか一項に記載のヘッド基体。
【請求項１５】  前記記録素子が発熱素子からなる請求項１４に記載のヘッド基体。
【請求項１６】  プリンタ本体に着脱自在に装着されるプリントヘッドであって、
請求項１ないし１５の何れか一項に記載のヘッド基体を具備していることを特徴とするプリントヘッド。
【請求項１７】  プリンタ本体に着脱自在に装着され、発熱素子の発熱によりインクを吐出するプリントヘッドであって、
請求項１５に記載のヘッド基体を具備していることを特徴とするプリントヘッド。
【請求項１８】  プリンタ本体に着脱自在に装着されるプリントヘッドであって、
二値状態が記録動作の有無に対応した二値論理信号と記録画像信号とクロック信号とが個々に外部入力される複数の外部接続端子と、
この外部接続端子に外部入力される前記二値論理信号が第一状態のときに前記記録画像信号と前記クロック信号とに対応して記録動作を実行する記録実行手段と、
データ書込とデータ読出との少なくとも一方であるメモリアクセスが実行されるデータ記憶手段と、
外部入力される前記二値論理信号が第二状態であるとアクセス許可信号と認識し、前記クロック信号に対応したタイミングで前記データ記憶手段にメモリアクセスを実行するメモリアクセス手段と、
を具備していることを特徴とするプリントヘッド。
【請求項１９】  前記外部接続端子が、
外部入力される前記二値論理信号を前記メモリアクセス手段と前記メモリアクセス手段とに供給する第一の端子共用手段と、
外部入力される前記クロック信号を前記記録実行手段に記録クロックとして記するとともに前記メモリアクセス手段にメモリクロックとして供給する第二の端子共用手段と、
を具備している請求項１８に記載のプリントヘッド。
【請求項２０】  前記記録素子が発熱素子からなる請求項１９に記載のプリントヘッド。
【請求項２１】  請求項１６ないし２０の何れか一項に記載のプリントヘッドと、
このプリントヘッドの複数の前記外部接続端子の各々に第一状態の二値論理信号とともに記録画像信号やクロック信号などの各種信号を個々に送信して前記記録実行手段に記録動作を実行させる入力手段と、
前記プリントヘッドの複数の前記外部接続端子に第二状態の二値論理信号とともにメモリクロックなどを送信して前記メモリアクセス手段にメモリアクセスを実行させるアクセス制御手段と、
を具備しているプリント装置。
【請求項２２】  前記入力手段は、前記外部接続端子の特定の一個に記録画像信号をシリアル送信し、
前記アクセス制御手段は、記録画像信号がシリアル入力される一個の前記外部接続端子に前記メモリアクセス手段の書込データをシリアル送信する請求項２１に記載のプリント装置。
【請求項２３】  前記入力手段は、前記外部接続端子の特定の複数に記録画像信号をパラレル送信し、
前記アクセス制御手段は、記録画像信号がパラレル入力される複数の前記外部接続端子に前記メモリアクセス手段の書込データをパラレル送信する請求項２１記載のプリント装置。
【手続補正３】
【補正対象書類名】明細書
【補正対象項目名】０００９
【補正方法】変更
【補正の内容】
【０００９】
【課題を解決するための手段】
本発明の一のヘッド基体は、プリンタ本体に着脱自在に装着されるプリントヘッドのヘッド基体であって、
二値状態が記録動作の有無に対応した二値論理信号と記録画像信号とクロック信号とが個々に外部入力される複数の外部接続端子と、この外部接続端子に外部入力される前記二値論理信号が第一状態のときに前記記録画像信号と前記クロック信号とに対応して記録動作を実行する記録実行手段と、データ書込とデータ読出との少なくとも一方であるメモリアクセスが実行されるデータ記憶手段と、外部入力される前記二値論理信号が第二状態の時に、前記クロック信号に対応したタイミングで前記データ記憶手段にメモリアクセスを実行するメモリアクセス手段と、を具備している。
【手続補正４】
【補正対象書類名】明細書
【補正対象項目名】００１０
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】